(57)【特許請求の範囲】
【請求項１】
光源を負荷とする電源装置と電気的に接続され、前記電源装置に対して、前記光源の制御に関わる機能を追加するように構成される機能モジュールであって、
前記機能を実現するための回路部品が実装された回路基板と、前記回路基板を前記電源装置に電気的に接続する接続部と、合成樹脂成形体からなり、前記回路基板を収納するケースと、前記ケースを被取付部に取り付けるための金属製の取付部材とを備え、
前記ケースは、一面が開口した箱状に形成され、
前記取付部材は、前記ケースの開口を塞ぐ蓋部と、前記蓋部から、前記ケースにおける前記開口した一面と反対側の一面にまで跨がる本体部とを有することを特徴とする機能モジュール。
【請求項２】
前記取付部材は、導電性を有する前記被取付部と機械的に結合し且つ電気的に導通する固定部を有することを特徴とする請求項１記載の機能モジュール。
【請求項３】
前記ケースは、前記被取付部と対向する面に１乃至複数の突起が設けられることを特徴とする請求項１又は２記載の機能モジュール。
【請求項４】
前記ケースは、前記蓋部の動きを規制する規制部を有することを特徴とする請求項１〜３の何れか１項に記載の機能モジュール。
【請求項５】
請求項１〜４の何れかの機能モジュールと、光源と、前記光源を点灯させる電源装置と、前記機能モジュール、前記光源、前記電源装置を支持する器具本体とを備えることを特徴とする照明器具。
【発明の詳細な説明】
【技術分野】
【０００１】
本発明は、機能モジュール及び照明器具に関し、特に、照明器具に機能を追加するための機能モジュール、並びに、当該機能モジュールを含む照明器具に関する。
【背景技術】
【０００２】
従来例として、特許文献１に記載されている個別制御ユニット（機能モジュール）並びに照明器具を例示する。特許文献１記載の照明器具は、天井に埋込配設されるライン型の照明器具であって、長尺の本体、光源、点灯機器などを有する。
【０００３】
光源は、実装基板に複数の発光ダイオード（ＬＥＤ）が実装されて構成される。点灯機器は、電源ユニット、個別制御ユニット、信号端子台、電源端子台などを有する。ただし、点灯機器は、個別制御ユニットを含む構成と、個別制御ユニットを含まない構成とを択一的に選択可能に構成されている。
【０００４】
電源ユニットは、直方体形状のケースを有し、ケースの長手方向の一端部に、信号入力端子と電源入力端子が短手方向に並べて配置されている。電源入力端子には、外部電源（例えば、実効値が１００Ｖや２００Ｖの交流電源）が電気的に接続される。また、信号入力端子は、直接又は個別制御ユニットを介して、信号端子台と電気的に接続される。さらに、ケースの長手方向の他端部に出力端子が設けられる。出力端子には、光源が電気的に接続される。電源ユニットは、電源入力端子から入力される交流電圧・交流電流を直流電圧・直流電流に変換して出力端子から出力するように構成される。
【０００５】
信号端子台には、光源を直接または個別制御ユニットを介して点灯制御するための制御信号が照明器具の外部から入力される。外部の制御信号は、検知エリア内の人の在／不在をモニターする人感センサーからの信号、検知エリア内の明るさをモニターする明るさセンサーからの信号、オン／オフ、シーン等の手動操作が行われる壁スイッチからの信号、などを含む。
【０００６】
個別制御ユニットは、信号端子台を介して外部制御信号を受信し、当該外部制御信号に含まれるアドレスデータと制御指令データを取得する。個別制御ユニットは、さらに、取得したアドレスデータが自己のアドレスデータに一致すれば、取得した制御指令データに基づく調光信号（例えば、ＰＷＭ調光信号）を電源ユニットの信号入力端子に出力する。
【０００７】
電源ユニットは、信号入力端子に入力される前記ＰＷＭ調光信号に基づいて、出力電力の大きさや、電力の供給時間（点灯時間）を制御し、光源の点灯状態を制御する。
【０００８】
上述のように特許文献１記載の従来例では、個別制御ユニットの有無に応じて、外部制御信号に対する電源ユニットの動作を変更することができる。
【先行技術文献】
【特許文献】
【０００９】
【特許文献１】特開２０１４−８６１６６号公報
【発明の概要】
【発明が解決しようとする課題】
【００１０】
ところで、特許文献１記載の個別制御ユニット（機能モジュール）は、回路部品が実装された回路基板が金属製のケースに収納されて構成されている。このようにケースが金属製であった場合、回路基板に形成されている配線用の導体や回路部品のリードなどとケースとの空間距離を確保しなければならないため、ケースの小型化が困難である。
【００１１】
一方、ケースが電気絶縁性を有する合成樹脂成形体で構成される場合、前記空間距離の問題は生じないが、金属製のケースに比べて機械的な強度が弱くなってしまう。
【００１２】
本発明は、上記課題に鑑みて為されたものであり、機械的な強度の低下を抑えつつケースの小型化が図ることを目的とする。
【課題を解決するための手段】
【００１３】
本発明の機能モジュールは、光源を負荷とする電源装置と電気的に接続され、前記電源装置に対して、前記光源の制御に関わる機能を追加するように構成される機能モジュールであって、前記機能を実現するための回路部品が実装された回路基板と、前記回路基板を前記電源装置に電気的に接続する接続部と、合成樹脂成形体からなり、前記回路基板を収納するケースと、前記ケースを被取付部に取り付けるための金属製の取付部材とを備え、前記ケースは、一面が開口した箱状に形成され、前記取付部材は、前記ケースの開口を塞ぐ蓋部と、前記蓋部から、前記ケースにおける前記開口した一面と反対側の一面にまで跨がる本体部とを有することを特徴とする。
【００１４】
本発明の照明器具は、前記何れかの機能モジュールと、光源と、前記光源を点灯させる電源装置と、前記機能モジュール、前記光源、前記電源装置を支持する器具本体とを備えることを特徴とする。
【発明の効果】
【００１５】
本発明の機能モジュール及び照明器具は、機械的な強度の低下を抑えつつケースの小型化が図ることができるという効果がある。
【図面の簡単な説明】
【００１６】
【図１】本発明に係る機能モジュール及び照明器具の実施形態を示す分解斜視図である。
【図２】同上の照明器具の分解斜視図である。
【図３】同上の照明器具の斜視図である。
【図４】同上の照明器具の断面図である。
【図５】同上における光源ユニットを示し、カバーエンドを外した状態の側面図である。
【図６】同上における電源ユニット及び機能ユニットの回路図である。
【図７】同上の機能モジュールを示し、取付部材を除いた斜視図である。
【図８】同上の機能モジュールにおける第２プリント配線板の平面図である。
【図９】同上の機能モジュールにおける取付部材の斜視図である。
【図１０】同上の機能モジュールの斜視図である。
【図１１】同上の機能モジュールを示し、取付板に取り付けられた状態の斜視図である。
【図１２】同上の機能モジュールを示し、取付板に取り付けられた状態の断面図である。
【発明を実施するための形態】
【００１７】
本発明に係る機能モジュール及び照明器具の実施形態について、図面を参照して詳細に説明する。なお、以下に説明する実施形態では、天井に取り付けられる照明器具の実施形態を例示するが、本実施形態の照明器具は、壁などの天井以外の場所に取り付けられる照明器具であっても構わない。また、以下の説明では、特に断りのない限り、図１に示す向きにおいて上下左右の方向を規定する。
【００１８】
本実施形態の照明器具は、図１〜図４に示すように器具本体１と、器具本体１に対して着脱自在に取り付けられる点灯ユニット２とを備える。
【００１９】
点灯ユニット２は、複数（図示例では３つ）の光源ユニット３、電源ユニット４、取付板５、複数（図示例では２つ）の反射部材６、機能モジュール７などを備える。
【００２０】
光源ユニット３は、図５に示すように、基板３１、基板３１が取り付けられる取付部材３２、基板３１を覆うようにして取付部材３２に取り付けられるカバー部材３３、カバー部材３３の両端の開口を閉塞するカバーエンド３４などを有する。
【００２１】
基板３１は、絶縁材料（例えば、セラミック）によって長尺の板状に形成されている。基板３１の表面（下面）には、複数個のＬＥＤ（発光ダイオード）３０が、基板３１の短手方向における中央部において、基板３１の長手方向に沿って２列に並べて実装されている。
【００２２】
また、基板３１表面の短手方向におけるＬＥＤ３０の外側に、各ＬＥＤ３０のアノード及びカソードを電気的に接続するための導電体が形成されている。さらに、基板３１表面の長手方向における一端にコネクタ３１１が実装され、コネクタ３１１に前記導電体が電気的に接続されている。このコネクタ３１１には、後述するように、電源ユニット４の出力線の先端に設けられるプラグコネクタが差込接続される。
【００２３】
取付部材３２は、板金に曲げ加工を施すことにより、長尺且つ矩形板状の底壁部３２０と、底壁部３２０の左右方向（短手方向）における両端から上下方向に延出する一対の側壁部３２１とを有する角樋状に形成されている。底壁部３２０の略中央部には、基板３１を収容するための凹所３２００が全長に亘って設けられている。また、各側壁部３２１の先端には、互いに離れる方向に傾斜する傾斜部３２１０がそれぞれ全長に亘って設けられている。
【００２４】
また、凹所３２００には、複数の固定部が設けられる。これらの固定部は、凹所３２００の底を切り起こすことで鈎形に形成されている。基板３１には、これら複数の固定部が各別に挿通される複数の孔が貫通している。そして、各固定部は、基板３１の孔に挿通された後、先端側がＬＥＤ３０から遠のく向きに曲げられることにより、凹所３２００の底との間に基板３１を挟み込んで固定する。
【００２５】
カバー部材３３は、透光性を有する材料（例えば、アクリル樹脂等）により、略半円筒形の主部３３０と、主部３３０の長手方向に沿った両端部より互いに並行するように上向きに突出した一対の突壁部３３１とが一体に形成されている。なお、各突壁部３３１の先端（上端）には、内向きに突出する突起部３３１０がそれぞれ一体に設けられている。また、主部３３０の長手方向に沿った両端部には、主部３３０と連なるように各突壁部３３１の外側まで延出された延出部３３２がそれぞれ一体に形成されている。そして、カバー部材３３は、各突壁部３３１の突起部３３１０が、取付部材３２の各傾斜部３２１０に引っ掛けられることにより、基板３１の表面を覆うように取付部材３２の下面側に取り付けられる。
【００２６】
カバーエンド３４は、合成樹脂材料により、厚みの薄い半円板状に形成される。カバーエンド３４は、カバー部材３３及び取付部材３２の長手方向の端部に取り付けられて、カバー部材３３の両端の開口を閉塞する。
【００２７】
また、光源ユニット３を取付板５に取り付けるため、一対の取付金具３６が取付部材３２の上面側に固定される。取付金具３６は、板金を曲げ加工することにより、矩形板状の固定片３６０と、固定片３６０の長手方向の両端部から下向きに曲げ起こされた一対の脚片３６１とが一体に形成されてなる。固定片３６０の中央には、取付板５にねじ止めするためのねじ孔が設けられている。また、各脚片３６１には、取付部材３２の側壁部３２１にねじ止めするためのねじ孔が設けられている。取付金具３６は、取付部材３２の側壁部３２１間に収められる。そして、取付金具３６は、カバー部材３３の突壁部３３１に貫設されたねじ挿通孔と、側壁部３２１に貫設されたねじ挿通孔とに挿通されたねじ３６２が、固定片３６０のねじ孔にねじ込まれることで取付部材３２にねじ止めされる。
【００２８】
取付板５は、鋼板などの金属板によって矩形に形成される。ただし、取付板５は、４つの辺が同じ向き（下向き）に曲げ起こされることで強度の向上が図られている。そして、３つの光源ユニット３は、長手方向に沿って互いに平行となり且つ隣の光源ユニット３との間隔が何れも等しくなるように並べた状態で取付板５の下面に固定される（図２参照）。すなわち、取付板５には複数のねじ挿通孔が設けられており、各ねじ挿通孔に挿通される固定ねじ５０が、取付金具３６の固定片３６０に設けられているねじ孔３６００にねじ込まれることにより、光源ユニット３が取付板５に固定される。なお、取付板５には３つの窓孔５３が１つの辺（後側の辺）に沿って等間隔且つ１列に並ぶように設けられており、各光源ユニット３のコネクタ３１１がそれぞれ窓孔５３に臨んでいる（図１参照）。
【００２９】
反射部材６は、隣り合う光源ユニット３の間に生じる２箇所のスペースにそれぞれ配置される。これらの反射部材６は、一対の反射板６０と、各反射板６０の上端から上向きに延出された一対の側板６１とを有する。反射板６０は、長方形状の金属板が曲げ加工されて構成されている。一対の反射板６０は、長手方向に沿った一方の端縁同士が繋がっており、長手方向から見てＶ字状に形成されている。そして、取付板５に設けられている複数の差込部５１が、側板６１に設けられている複数の差込孔６１０に差し込まれることにより、取付板５に反射部材６が取り付けられる（図１及び図２参照）。
【００３０】
電源ユニット４は、第１プリント配線板に電子部品が実装されて構成される電源回路と、前記電源回路を収納する第１ケース４２とを有する。電源回路の回路図を図６に示す。この電源回路は、入力コネクタ４００、フィルタ回路４０１、整流器４０２、昇圧回路４０３、降圧回路４０４、出力コネクタ４０５、主制御回路４０６、制御電源回路４０７、調光制御回路４０８、消灯制御回路４０９、制御用コネクタ４１０などを備える。
【００３１】
入力コネクタ４００は、第１端子台１６を介して外部電源（商用交流電源）９と電気的に接続される。フィルタ回路４０１は、コモンモードチョークコイル４０１０と、アクロス・ザ・ラインコンデンサ４０１１とで構成される。整流器４０２は、ダイオードブリッジで構成され、フィルタ回路４０１及び入力コネクタ４００を介して外部電源９と交流入力端子が電気的に接続され、外部電源９から供給される交流電圧・交流電流を全波整流して直流出力端子から出力する。
【００３２】
昇圧回路４０３は、チョークコイルＬ１、スイッチ素子Ｑ１、整流素子Ｄ１、平滑コンデンサＣ１などで構成される、従来周知の昇圧チョッパ回路（力率改善回路）である。また、降圧回路４０４は、スイッチ素子Ｑ２、インダクタＬ２、整流素子Ｄ２、抵抗Ｒ１、平滑コンデンサＣ２などで構成される、従来周知の降圧チョッパ回路（バックコンバータ）である。整流器４０２から出力される脈流電圧が昇圧回路４０３で昇圧され、昇圧回路４０３から出力される直流電圧が降圧回路４０４で降圧される。出力コネクタ４０５は、レセプタクルコネクタからなり、降圧回路４０４の出力端子（平滑コンデンサＣ２の両端）と電気的に接続される。
【００３３】
主制御回路４０６は、昇圧回路４０３のスイッチ素子Ｑ１並びに降圧回路４０４のスイッチ素子Ｑ２をそれぞれスイッチングし、昇圧回路４０３の出力電圧を一定に維持するとともに、降圧回路４０４の出力電流を目標値に一致させるように構成される。制御電源回路４０７は、昇圧回路４０３の出力電圧から制御電圧（例えば、５Ｖ〜３Ｖ程度の直流電圧）を生成するように構成される。主制御回路４０６は、制御電源回路４０７から供給される制御電圧で動作する。
【００３４】
制御用コネクタ４１０は、レセプタクルコネクタからなり、機能モジュール７のプラグコネクタ７０４が差込接続される。後述するように、機能モジュール７から出力される制御信号が制御用コネクタ４１０を介して調光制御回路４０８と消灯制御回路４０９に入力される。
【００３５】
消灯制御回路４０９は、制御信号に応じて、点灯中のＬＥＤ３０を消灯させるための消灯信号を生成して主制御回路４０６に出力するように構成される。主制御回路４０６は、消灯信号を受け取ると、スイッチ素子Ｑ２のスイッチングを中止して降圧回路４０４を停止させ、ＬＥＤ３０を消灯するように構成される。ただし、主制御回路４０６は、消灯信号を受け取った場合、スイッチ素子Ｑ２だけで無くスイッチ素子Ｑ１のスイッチングも中止して昇圧回路４０３と降圧回路４０４を双方とも停止させてもよい。このように昇圧回路４０３と降圧回路４０４の双方が停止すれば、降圧回路４０４のみが停止する場合と比較して、消灯中における電源ユニット４の消費電力が削減される。
【００３６】
また、調光制御回路４０８は、制御信号に応じて、ＬＥＤ３０の光出力（調光レベル）を指示する調光信号を生成して主制御回路４０６に出力するように構成される。なお、調光レベルは、定格電力が供給されているときのＬＥＤ３０の光出力を１００％としたとき、ＬＥＤ３０に供給される単位時間当たりの平均電力の定格電力に対する比率（％）で表される。例えば、ＬＥＤ３０に供給される単位時間当たりの平均電力が定格電力の半分のとき、調光レベルが５０％となる。言い換えると、調光制御回路４０８は、制御信号で指示される調光レベルが５０％であれば、降圧回路４０４からＬＥＤ３０に供給される単位時間当たりの平均電力を定格電力の半分にするように指示する調光信号を生成する。主制御回路４０６は、調光制御回路４０８から受け取る調光信号に応じて、スイッチ素子Ｑ２のオンデューティ比を調整するように構成されることが好ましい。さらに詳しく説明すると、調光制御回路４０８は、抵抗Ｒ１の両端電圧から降圧回路４０４の出力電流を検出し、当該出力電流の平均値を調光レベルに対応した目標値に一致させるように、調光信号を生成するように構成されることが好ましい。
【００３７】
第１プリント配線板は、長尺の矩形平板状の絶縁基板の裏面に配線用の導体（銅箔）がプリントされて構成される。第１プリント配線板の表面に、コネクタや平滑コンデンサ、コモンモードチョークコイル４０１０などの、いわゆるリード部品が実装される。そして、第１プリント配線板の裏面に、整流器４０２、主制御回路４０６、調光制御回路４０８、消灯制御回路４０９などの表面実装部品が実装される。ここで、入力コネクタ４００は、第１プリント配線板の長手方向の端部（以下、第１端部と呼ぶ。）の表面に実装される。一方、出力コネクタ４０５及び制御用コネクタ４１０は、第１プリント配線板の長手方向の他端部（以下、第２端部と呼ぶ。）の表面に実装される。そして、第１端部から第２端部に向かって、フィルタ回路４０１、整流器４０２、昇圧回路４０３、降圧回路４０４、出力コネクタ４０５が順番に第１プリント配線板に実装される。また、主制御回路４０６、制御電源回路４０７、調光制御回路４０８、消灯制御回路４０９は、整流器４０２から第２端部に向かって順番に第１プリント配線板に実装される。
【００３８】
第１ケース４２は、図１及び図４に示すように、金属製の板材によって、下面が開放された長尺の箱形に形成されている。ただし、第１ケース４２の長手方向に対向する一対の側板には、それぞれ通線用の孔４２０が設けられている（図１参照）。
【００３９】
電源ユニット４は、図１に示すように、第１ケース４２の底板が上になるように、例えば、ねじ止めなどの適宜の方法で固定板８に取り付けられる。つまり、固定板８に取り付けられた状態において、第１ケース４２の開口が固定板８で塞がれる。
【００４０】
固定板８は、金属製の板材で形成され、図１に示すように、主部８０、第１側部８１、第２側部８２、庇部８３、囲い部８４を有する。主部８０は、長尺の矩形平板状に形成される。第１側部８１は、主部８０の長手方向に沿った一端縁（前側の縁）から上向きに立ち上がる矩形の平板状に形成される。第２側部８２は、第１側部８１と同様に、主部８０の長手方向に沿った他端縁（後側の縁）から上向きに立ち上がる矩形の平板状に形成される。ただし、第２側部８２は、第１側部８１よりも上下方向の寸法（高さ寸法）が短く形成されている。庇部８３は、矩形の平板状であって、第２側部８２の上端から外向き（後向き）に突出するように形成されている。囲い部８４は、矩形の板材が長手方向に沿ってく字形に曲げられて構成される。囲い部８４は、主部８０の左側の端縁に連結される。電源ユニット４は、固定板８の主部８０の上面側に取り付けられる。
【００４１】
上述のように構成される固定板８は、図１に示すように、取付板５の窓孔５３の上を庇部８３で覆い、且つ囲い部８４が取付板５の左端に位置するように、取付板５の上面側にねじ止めして固定される。
【００４２】
機能モジュール７は、第２プリント配線板７０に電子部品が実装されて構成される回路部と、前記回路部を収納する第２ケース７１とを有する。この回路部は、図６に示すように、信号入力部７００、フォトカプラ７０１、抵抗Ｒ２、Ｒ３、信号出力部７０２、信号ケーブル７０３などを備える。
【００４３】
信号入力部７００は、従来周知の速結式の端子台で構成され、制御信号が伝送される一対の信号線と電気的に接続される。また、信号入力部７００には、フォトカプラ７０１の入力端子と、限流用の抵抗Ｒ２とが電気的に直列接続される。つまり、フォトカプラ７０１の入力端子には、信号線に伝送される制御信号が信号入力部７００を介して入力される。
【００４４】
信号出力部７０２は、信号ケーブル７０３を介して電源ユニット４の制御用コネクタ４１０と電気的に接続される。信号ケーブル７０３は３本の電線７０３Ａ〜７０３Ｃで構成される。そして、電源回路のグランドとフォトカプラ７０１の負極側の出力端子（フォトトランジスタのエミッタ）とが１本の電線７０３Ａで電気的に接続される。また、制御電源回路４０７の出力端子と抵抗Ｒ３の一端との接続点が、他の１本の電線７０３Ｂで電気的に接続される。さらに、抵抗Ｒ３の他端とフォトカプラ７０１の正極側の出力端子（フォトトランジスタのコレクタ）の接続点が、残り１本の電線７０３Ｃで調光制御回路４０８及び消灯制御回路４０９と電気的に接続される。つまり、抵抗Ｒ３とフォトトランジスタの直列回路には常に一定の制御電源電圧が印加される。そのため、調光制御回路４０８及び消灯制御回路４０９に入力される制御信号は、フォトカプラ７０１の入力電圧がハイレベルのときにローレベルとなり、フォトカプラ７０１の入力電圧がローレベルのときにハイレベルとなる。例えば、外部から機能モジュール７に入力される制御信号（以下、外部制御信号と呼ぶ。）がパルス幅変調（ＰＷＭ）信号である場合を想定する。この場合、機能モジュール７から電源ユニット４に出力される制御信号（以下、内部制御信号と呼ぶ。）のデューティ比（パルス幅）は、１００％（１周期の長さ）と、外部制御信号のデューティ比（パルス幅）との差になる。例えば、外部制御信号のデューティ比が５％のときの調光レベルを１００％とし、調光レベルが低く（暗く）なるにつれてデューティ比が減少する場合を想定する。この場合、調光制御回路４０８は、内部制御信号のデューティ比が９５％のときに調光レベルを１００％とし、デューティ比が減少するにつれて調光レベルを減少させればよい。また、消灯制御回路４０９は、内部制御信号のデューティ比が下限値（例えば、１０％）以下のときに、消灯信号を出力すればよい。
【００４５】
次に、機能モジュール７の構造について、図７〜図１２を参照して詳細に説明する。ただし、以下の説明では、特に断りの無い限り、図７において上下、左右、前後の各方向を規定する。
【００４６】
本実施形態の機能モジュール７は、第２プリント配線板７０と、第２ケース７１と、取付部材７２とを備える。
【００４７】
第２プリント配線板７０は、図８に示すように、矩形平板状の絶縁基板の裏面（下面）に配線用の導体（銅箔）がプリントされて構成される。第２プリント配線板７０の表面（上面）に、信号入力部７００と信号出力部７０２が実装される。そして、第２プリント配線板７０の裏面（下面）に、フォトカプラ７０１や抵抗Ｒ２、Ｒ３などの信号入力部７００及び信号出力部７０２以外の部品が実装される。信号入力部７００の上部には、それぞれに信号線の導体が差し込まれる差込孔７０００と、解除釦７００１とが左右方向に並べて、各々４つずつ設けられている。すなわち、信号入力部７００は、速結式の端子台で構成されるので、差込孔７０００に差し込まれる信号線の導体と電気的に接続され、解除釦７００１が押操作されると差込孔７０００から信号線の導体を引き抜くことができるように構成されている。
【００４８】
信号出力部７０２は、第２プリント配線板７０の後端の右側に実装される。また、信号出力部７０２から引き出されている信号ケーブル７０３の先端に、プラグコネクタ７０４が電気的に接続される。さらに、第２プリント配線板７０の前端（図８における下端）における左右両端には、それぞれ前方に突出する突部７０５が設けられることが好ましい。
【００４９】
第２ケース７１は、図７に示すように、下壁７１０、一対の側壁７１１、後壁７１２、上壁７１３、傾斜壁７１４を有し、前面が開放された箱形に形成される。さらに、第２ケース７１は、第２プリント配線板７０の周縁部分と嵌合する一対の嵌合部７１５を有する。なお、第２ケース７１は、ポリカーボネート樹脂などの合成樹脂材料からなる合成樹脂成形体として構成されることが好ましい。
【００５０】
嵌合部７１５は、各側壁７１１に設けられる一対のリブ７１５０で構成される。各リブ７１５０は、一対の側壁７１１から、前後方向に沿って外向きに突出し、且つ上下方向に間隔を空けて対向するように形成される。そして、上下方向に並ぶ２つのリブ７１５０の間に第２プリント配線板７０の周縁部分が挿入される。つまり、嵌合部７１５は、上下方向に並ぶ２つのリブ７１５０により、第２プリント配線板７０の周縁部分を厚み方向（上下方向）に沿って挟むように構成される。
【００５１】
第２ケース７１には、矩形の貫通孔７１６が上壁７１３と傾斜壁７１４に跨がるように形成されている。この貫通孔７１６を通して、信号入力部７００の上部（差込孔７０００と解除釦７００１）が第２ケース７１の外に露出する。
【００５２】
また、第２ケース７１の各側壁７１１の前端部分には、取付部材７２の結合メス部７２０１と機械的に結合する結合オス部７１７がそれぞれ設けられることが好ましい。結合オス部７１７は、一対の支持片７１７０、固定部７１７１、規制片７１７２を有している。固定部７１７１は、左右方向から見てＴ字形状に形成され、且つ側壁７１１と一体に形成される。一対の支持片７１７０は、固定部７１７１の上下両端から前方に突出し、前方に向かうに連れて、互いの間隔を狭くするように形成される。また、各支持片７１７０の前端には、外向きに突出する三角柱形状の凸部７１７３が設けられる。規制片７１７２は、固定部７１７１の前端から前方に突出し、一対の支持片７１７０の動きを規制するように構成される。すなわち、一対の支持片７１７０が互いに近付く向きに撓むとき、規制片７１７２に当たることで撓み量が規制される。
【００５３】
さらに、第２ケース７１は、下壁７１０の後端部から下向きに突出する突部７１８が設けられる。
【００５４】
取付部材７２は、図９に示すように、前板７２０、上板７２１、後板７２２、傾斜板７２３、ねじ止め部７２４、固定部７２５を有し、鋼板などの金属板が曲げ加工されることにより、全体としてＣ字状に形成される。前板７２０は、前後方向から見てＴ字状に形成され、上部の左右両端に結合メス部７２０１が設けられる。また、前板７２０には、信号ケーブル７０３が挿通される挿通溝７２００が設けられている。なお、挿通溝７２００の下端は開放されている。ねじ止め部７２４は、矩形平板状であって、前板７２０の下縁の中央から前方に突出するように構成される。ねじ止め部７２４の中央には、円形のねじ挿通孔７２４０が貫通している。
【００５５】
上板７２１は、左右両端縁から下向きに突出する一対の突片７２１０を有する。同様に、傾斜板７２３は、右端縁から下向きに突出する突片７２３０を有する。後板７２２には、前方に向かって突出する一対の突部７２６が左右方向に並べて設けられている。これらの突部７２６は、上面が平坦である半ドーム形状に形成される。固定部７２５は、Ｖ字形状に形成され、後板７２２の下縁の中央から下方へ突出するように構成される。なお、取付部材７２には、矩形の貫通孔７２７が上板７２１と傾斜板７２３と後板７２２に跨がるように形成されている。
【００５６】
取付部材７２は、図１０及び図１１に示すように、結合メス部７２０１に結合オス部７１７が結合され、且つ一対の突部７２６が下壁７１０の後端部分に引っ掛けられることによって、第２ケース７１に取り付けられる。すなわち、一対の突部７２６が下壁７１０の後端部分に引っ掛けられた後、突部７２６を支点として取付部材７２が回転されると、前板７２０の結合メス部７２０１が、結合オス部７１７の上側の凸部７１７３に当たって支持片７１７０が下向きに撓む。そして、凸部７１７３が結合メス部７２０１を乗り越えると、支持片７１７０が復帰し、凸部７１７３が結合メス部７２０１に引っ掛かって結合する（図１１参照）。このとき、前板７２０は、左右方向の動きが一対の結合オス部７１７によって規制される。また、上板７２１及び傾斜板７２３は、一対の突片７２１０、７２３０によって左右方向の動きが規制される。なお、信号ケーブル７０３は、第２ケース７１の前方から引き出され、取付部材７２の前板７２０の挿通溝７２００に挿通される。つまり、信号ケーブル７０３の一部及びプラグコネクタ７０４は、挿通溝７２００を通して取付部材７２の外に引き出される。
【００５７】
上述のように構成される機能モジュール７は、図１１及び図１２に示すように、取付部材７２によって取付板５に取り付けられる。取付板５には、ねじ孔５５と引掛孔５６が設けられる。ねじ孔５５は、取付板５の左端部、具体的には、固定板８の囲い部８４の直下に設けられる。また、引掛孔５６は、取付板５において、ねじ孔５５の中心から、取付部材７２のねじ挿通孔７２４０の中心と固定部７２５のピッチにほぼ等しい距離だけ右に移動した位置に設けられることが好ましい。なお、引掛孔５６は、円形に形成されることが好ましいが、矩形や楕円形に形成されても構わない。
【００５８】
而して、図１２に示すように、固定部７２５が引掛孔５６に引っ掛けられ、且つねじ止め部７２４がねじ止めされることにより、取付部材７２（機能モジュール７）が取付板５に取り付けられる。このとき、第２ケース７１の下壁７１０に設けられる突部７１８の先端が取付板５に当たるため、第２ケース７１の下壁７１０と取付板５との空間距離が確保される。なお、挿通溝７２００を通して取付部材７２の外に引き出された信号ケーブル７０３は、固定板８の第１側部８１に設けられる挿通孔に挿通された後、電源ユニット４の第１ケース４２内に引き込まれて、制御用コネクタ４１０に接続される。
【００５９】
上述のように本実施形態の機能モジュール７は、第２プリント配線板７０を電気絶縁体（合成樹脂成形体）からなる第２ケース７１に収納している。そのため、本実施形態の機能モジュール７は、第２プリント配線板７０の配線用の導体や回路部品のリードと第２ケース７１との空間距離を考慮する必要がなく、第２ケース７１の小型化を図ることが容易である。また、本実施形態の機能モジュール７は、金属製の取付部材７２が第２ケース７１と結合され、取付部材７２によって、取付板５（被取付部）に取り付けられる。このため、本実施形態の機能モジュール７は、合成樹脂材料製の第２ケース７１が直接取付板５に取り付けられる場合と比較して、機械的な強度の低下を抑えることができる。さらに、第２ケース７１は、一面（前面）が開口する箱状に形成され、当該開口から第２プリント配線板７０が収納可能に構成されている。そのため、本実施形態の機能モジュール７では、第２ケース７１が開口を有しない完全な箱状に形成される場合と比較して、第２プリント配線板７０を内部に収納する作業が簡素化されるという利点がある。しかも、第２ケース７１の前面開口は、金属製の取付部材７２の前板７２０で閉塞されるので、第２ケース７１内に塵埃などの異物が進入することを抑制できるという利点もある。
【００６０】
ここで、引掛孔５６に引っ掛けられた固定部７２５は、取付部材７２の下面と接触している。取付板５並びに取付部材７２は、何れも塗装されておらず、金属材料が剥き出しの状態となっている。したがって、固定部７２５が取付部材７２の下面と接触することにより、取付部材７２が取付板５と電気的に導通する。そのため、本実施形態の機能モジュール７は、リード線などの部材で取付部材７２と取付板５とを電気的に接続させる必要が無く、部品点数の削減と構造の簡素化を図ることができる。
【００６１】
なお、本実施形態の機能モジュール７において、固定部７２５の代わりに、ねじ止め部７２４が第２ケース７１に設けられ、第２ケース７１が２箇所で取付板５にねじ止めされても構わない。また、本実施形態の機能モジュール７では、第２ケース７１が合成樹脂成形体で構成されているが、例えば、金属製の箱体が樹脂モールドされることで第２ケース７１が構成されてもよい。
【００６２】
次に、図１〜図４を参照して、器具本体１の構造を説明する。
【００６３】
器具本体１は、角筒状の枠体１０と、矩形平板状のベース板１１とが結合されることにより、下面が開放された矩形箱状に形成される。
【００６４】
枠体１０は、左右方向に対向する一対の第１側板１００と、前後方向に対向する一対の第２側板１０１と、フランジ１０２とを有する。第１側板１００は、矩形板状の縦板１０００と、縦板１０００の下端縁から斜め下向きに突出する傾斜板１００１と、縦板１０００の上端縁から傾斜板１００１と反対向き且つ水平に突出する取付片１００２とが鋼板などの金属板で一体に形成されている。
【００６５】
また、第２側板１０１は、台形状の縦板１０１０と、縦板１０１０の上端縁から内向き且つ水平に突出する取付片１０１１と、縦板１０１０の両端から上向きに突出する一対の接合片１０１２とが、鋼板などの金属板で一体に形成されている。
【００６６】
第１側板１００は、長手方向（前後方向）における両端に第２側板１０１がそれぞれ接合される。すなわち、第２側板１０１の接合片１０１２が第１側板１００の縦板１０００に溶接されることにより、第１側板１００と第２側板１０１とが接合される。
【００６７】
フランジ１０２は、金属板が加工されることで矩形枠状に形成され、第１側板１００及び第２側板１０１の下端縁に接合される。
【００６８】
ベース板１１は、鋼板などの金属板が矩形に加工されてなる。ただし、ベース板１１は、４つの辺が同じ向き（下向き）に曲げ起こされることで強度の向上が図られている。
【００６９】
また、ベース板１１は、給電用の電源線が挿通される第１挿通孔１１０と、外部制御信号などが伝送される信号線が挿通される第２挿通孔１１１とが設けられている。第１挿通孔１１０に挿通される電源線は、ベース板１１の下面に固定される第１端子台１６に接続される。第１端子台１６は、図示しない接続部に電線の一端が接続される。そして、この電線の他端が、電源ユニット４の入力コネクタ４００に電気的に接続される。故に、外部電源９から第１端子台１６を介して電源ユニット４に交流電力が給電される。
【００７０】
また、ベース板１１の下面には、第２端子台１７も固定される。第２端子台１７は、第２挿通孔１１１に挿通される信号線と、機能モジュール７の信号入力部７００に電気的に接続される信号線とがそれぞれ接続される。つまり、図示しない調光器から信号線を介して伝送される調光信号（外部制御信号）が第２端子台１７を通して機能モジュール７の信号入力部７００に入力される。さらに、ベース板１１は、図示しない吊りボルトが挿通される複数（図示例では３つ）のボルト挿通孔１１２が左右方向に一列に並べて設けられる。
【００７１】
上述のように構成されるベース板１１は、枠体１０の取付片１００２に取り付けられる。すなわち、各取付片１００２には、３つのブリッジ１３が前後方向に間隔を空けて並ぶように形成され、ベース板１１の左右両端にそれぞれ３つずつ設けられた爪１２が、各ブリッジ１３に各別に引っ掛けられる（図２参照）。
【００７２】
器具本体１は、ベース板１１のボルト挿通孔１１２に挿通される吊りボルトにナットが締め付けられて吊りボルトに固定される。そして、器具本体１は、枠体１０のフランジ１０２が天井板の下面側に露出し、その他の部分が天井板の埋込孔に挿入されて埋込配設される。つまり、フランジ１０２は、埋込孔の周縁と器具本体１との間に生じる隙間を塞いで隠すために設けられている。
【００７３】
また、枠体１０の各取付片１０１１には、いわゆるラッチ１５が左右方向に間隔を空けて２つずつ取り付けられている（図２参照）。ラッチ１５は、幅細の直方体状に形成された摘まみ１５０と、摘まみ１５０を回転可能に支持する支持部とを有する。そして、ラッチ１５は、取付片１０１１に設けられる取付孔に支持部が挿通されて取付片１０１１に取り付けられる。
【００７４】
一方、取付板５の前後両端には、ラッチ１５の摘まみ１５０が挿通可能な寸法を有する矩形の挿通孔５４がそれぞれ２つずつ設けられている。すなわち、埋込孔に埋め込まれた器具本体１内に点灯ユニット２を収納する際、取付板５の各挿通孔５４に挿通されたラッチ１５の摘まみ１５０が９０度回転されることにより、挿通孔５４に対して摘まみ１５０が抜け止めされる。したがって、点灯ユニット２は、４つのラッチ１５によって器具本体１（枠体１０の一対の取付片１０１１）に取り付けられる。ただし、上述のようなラッチ１５は従来周知であるから、詳細な構成の図示並びに説明は省略する。
【００７５】
本実施形態の機能モジュール７は、光源（ＬＥＤ３０）を負荷とする電源装置（電源ユニット４）と電気的に接続され、電源装置（電源ユニット４）に対して、光源（ＬＥＤ３０）の制御に関わる機能を追加するように構成される。本実施形態の機能モジュール７は、前記機能を実現するための回路部品（信号入力部７００、フォトカプラ７０１、信号出力部７０２、抵抗Ｒ２、Ｒ３など）が実装された回路基板（第２プリント配線板７０）を備える。また、本実施形態の機能モジュール７は、回路基板（第２プリント配線板７０）を電源装置（電源ユニット４）に電気的に接続する接続部（信号ケーブル７０３及びプラグコネクタ７０４）を備える。さらに、本実施形態の機能モジュール７は、合成樹脂成形体からなり、回路基板（第２プリント配線板７０）を収納するケース（第２ケース７１）と、ケース（第２ケース７１）を被取付部（取付板５）に取り付けるための金属製の取付部材７２とを備える。ケース（第２ケース７１）は、一面が開口した箱状に形成される。取付部材７２は、ケース（第２ケース７１）の開口を塞ぐ蓋部（前板７２０）を有する。
【００７６】
本実施形態の機能モジュール７は上述のように構成され、ケース（第２ケース７１）が合成樹脂成形体からなるので、金属製のケースと比較して、ケース（第２ケース７１）の小型化を図ることができる。しかも、合成樹脂成形体からなるケース（第２ケース７１）は、金属製の取付部材７２を介して被取付部（取付板５）に取り付けられるので、機械的な強度の低下が抑えられる。故に、本実施形態の機能モジュール７は、機械的な強度の低下を抑えつつケース（第２ケース７１）の小型化が図ることができる。
【００７７】
また、本実施形態の照明器具は、機能モジュール７と、光源（ＬＥＤ３０）と、光源（ＬＥＤ３０）を点灯させる電源装置（電源ユニット４）と、機能モジュール７、光源（ＬＥＤ３０）、電源装置（電源ユニット４）を支持する器具本体１とを備える。
【００７８】
本実施形態の機能モジュール７において、取付部材７２は、導電性を有する被取付部（取付板５）と機械的に結合し且つ電気的に導通する固定部７２５を有することが好ましい。
【００７９】
本実施形態の機能モジュール７が上述のように構成されれば、リード線などの部材で取付部材７２と取付板５とを電気的に接続させる必要が無く、部品点数の削減と構造の簡素化を図ることができる。
【００８０】
本実施形態の機能モジュール７において、取付部材７２は、蓋部（前板７２０）から、ケース（第２ケース７１）における前記開口した一面（前面）と反対側の一面（後面）にまで跨がる本体部（上板７２１、後板７２２、傾斜板７２３）を有することが好ましい。
【００８１】
本実施形態の機能モジュール７が上述のように構成されれば、ケース（第２ケース７１）を取付部材７２で補強することができる。
【００８２】
本実施形態の機能モジュール７において、ケース（第２ケース７１）は、被取付部（取付板５）と対向する面（下面）に１乃至複数の突起（突部７１８）が設けられることが好ましい。
【００８３】
本実施形態の機能モジュール７が上述のように構成されれば、突起（突部７１８）によってケース（第２ケース７１）と被取付部（取付板５）との空間距離を容易に確保することができる。
【００８４】
本実施形態の機能モジュール７において、ケース（第２ケース７１）は、蓋部（前板７２０）の動きを規制する規制部（結合オス部７１７）を有することが好ましい。
【００８５】
本実施形態の機能モジュール７が上述のように構成されれば、蓋部（前板７２０）の動きが規制部（結合オス部７１７）で規制されるため、ケース（第２ケース７１）内への異物の進入をより確実に防ぐことができる。
【００８６】
なお、機能モジュール７は、本実施形態で例示した機能以外の機能、例えば、初期照度補正機能を電源装置（電源ユニット４）に追加するように構成されても構わない。初期照度補正機能とは、光源（ＬＥＤ３０）の使用開始から寿命末期までの間、光出力がほぼ一定（例えば、定格の８５％）に保たれるように、累積点灯時間に対応して調光レベルを調整する機能である。
【符号の説明】
【００８７】
１  器具本体
４  電源ユニット（電源装置）
５  取付板（被取付部）
７  機能モジュール
３０  ＬＥＤ（光源）
７０  第２プリント配線板（回路基板）
７１  第２ケース（ケース）
７２  取付部材
７００  信号入力部（回路部品）
７０１  フォトカプラ（回路部品）
７０２  信号出力部（回路部品）
７０３  信号ケーブル（接続部）
７０４  プラグコネクタ（接続部）
７１７  結合オス部（規制部）
７１８  突部（突起）
７２０  前板（蓋部）
７２１  上板（本体部）
７２２  後板（本体部）
７２３  傾斜板（本体部）
７２５  固定部
【図１】
0006376495.tif 000002
【図２】
0006376495.tif 000003
【図３】
0006376495.tif 000004
【図４】
0006376495.tif 000005
【図５】
0006376495.tif 000006
【図６】
0006376495.tif 000007
【図７】
0006376495.tif 000008
【図８】
0006376495.tif 000009
【図９】
0006376495.tif 000010
【図１０】
0006376495.tif 000011
【図１１】
0006376495.tif 000012
【図１２】
0006376495.tif 000013